(57)【要約】【課題】コストを低減し、構造強度を向上し、しかも電磁干渉シールド効果を有するバックライトモジュールを提供する。【解決手段】本発明に係わるバックライトモジュールは、第１側辺、第２側辺、第３側辺、第４側辺を含む基板ユニットと、基板ユニットの前記第１側辺に設けられ第１保持部を含む第１押出枠ユニットと、前記基板ユニットの前記第２側辺に設けられ第２保持部を含む第２押出枠ユニットと、を有するバック・シャーシ２と、前記基板ユニットの前記第３側辺に設けられた第３押出枠ユニットと、前記基板ユニットの前記第４側辺に設けられた第４押出枠ユニットと、前記第１保持部と前記第２保持部に設けられた光学素子セット５と、を備える。【選択図】図１１ｂ
2007059405.tif 000002
【特許請求の範囲】
【請求項１】
第１側辺、第２側辺、第３側辺、及び第４側辺を含む基板ユニットと、
前記基板ユニットの前記第１側辺に設けられ第１保持部を含む第１押出枠ユニットと、
前記基板ユニットの前記第２側辺に設けられ第２保持部を含む第２押出枠ユニットと、を有するバック・シャーシと、
前記基板ユニットの前記第３側辺に設けられた第３押出枠ユニットと、
前記基板ユニットの前記第４側辺に設けられた第４押出枠ユニットと、
前記第１保持部と前記第２保持部に設けられた光学素子セットと、を備えることを特徴とするバックライトモジュール。
【請求項２】
前記第３押出枠ユニットが第３保持部を有し、前記第４押出枠ユニットが第４保持部を有し、前記光学素子セットが前記第３保持部と前記第４保持部とに設けられることを特徴とする請求項１に記載のバックライトモジュール。
【請求項３】
前記光学素子セットが、拡散板と集光シートとを少なくとも有することを特徴とする請求項１に記載のバックライトモジュール。
【請求項４】
前記第１押出枠ユニットと前記第２押出枠ユニットとが、前記基板ユニットの対向する両側辺にそれぞれ設けられることを特徴とする請求項１に記載のバックライトモジュール。
【請求項５】
前記基板ユニットと、前記第１押出枠ユニットと、前記第２押出枠ユニットとが、一体成形されることを特徴とする請求項１に記載のバックライトモジュール。
【請求項６】
前記第１押出枠ユニットと、前記第２押出枠ユニットとが、アルミニウム押出成形又は、アルミニウム合金押出成形によって一体形成されることを特徴とする請求項１に記載のバックライトモジュール。
【請求項７】
前記基板ユニットが平板であり、少なくとも一つの放熱シートを含み、前記放熱シートが前記基板ユニットの一表面に設けられ、前記基板ユニットのもう一つの表面に反射層が設けられることを特徴とする請求項１に記載のバックライトモジュール。
【請求項８】
前記基板ユニットが、平行に配置された第１平板と第２平板と、を含むことを特徴とする請求項１に記載のバックライトモジュール。
【請求項９】
前記基板ユニットが、少なくとも一つの放熱シートを含み、前記放熱シートが前記第１平板と前記第２平板との間に設けられ、前記基板ユニットの第１平板の一表面に反射層が設けられることを特徴とする請求項８に記載のバックライトモジュール。
【請求項１０】
前記基板ユニットが、水平に配置された第１サブ基板ユニットと第２サブ基板ユニットと、を有することを特徴とする請求項１に記載のバックライトモジュール。
【請求項１１】
前記第１サブ基板ユニットと前記第２サブ基板ユニットとが、それぞれ平板であり、前記基板ユニットが少なくとも一つの放熱シートを有し、前記放熱シートが前記基板ユニットの前記第１サブ基板ユニットと前記第２サブ基板ユニットとの一表面に設けられ、前記基板ユニットの前記第１サブ基板ユニットと前記第２サブ基板ユニットとの他の表面に反射層が設けられることを特徴とする請求項１０に記載のバックライトモジュール。
【請求項１２】
前記第１サブ基板ユニットが、平行設置された第３平板と第４平板と、少なくとも一つの放熱シートとを具備し、前記放熱シートが、前記第３平板と前記第４平板との間に設けられ、前記第３平板の一表面に反射層が設けられることを特徴とする請求項１０に記載のバックライトモジュール。
【請求項１３】
前記第２サブ基板ユニットが、平行設置された第５平板と第６平板と、少なくとも一つの放熱シートとを具備し、前記放熱シートが、前記第５平板と前記第６平板との間に設けられ、前記第５平板の一表面に反射層が設けられることを特徴とする請求項１０に記載のバックライトモジュール。
【請求項１４】
前記第１サブ基板ユニットと前記第１押出枠ユニットとが一体成形されることを特徴とする請求項１０に記載のバックライトモジュール。
【請求項１５】
前記第２サブ基板ユニットと前記第２押出枠ユニットとが一体成形されることを特徴とする請求項１０に記載のバックライトモジュール。
【請求項１６】
前記第１押出枠ユニットが、更に、少なくとも一つの第１結合部と少なくとも一つの第１斜板部とを有し、前記第１斜板部が、前記基板ユニットと前記第１保持部にそれぞれ接続され、
前記第２押出枠ユニットが、更に、少なくとも一つの第２結合部と少なくとも一つの第２斜板部とを有し、前記第２斜板部が、前記基板ユニットと前記第２保持部にそれぞれ接続されることを特徴とする請求項１に記載のバックライトモジュール。
【請求項１７】
前記バックライトモジュールが、更に、複数の押圧部材を備え、前記押圧部材が、前記第１結合部と第２結合部にそれぞれ結合されることにより、前記光学素子セットが前記第１押出枠ユニットと第２押出枠ユニットに押圧されることを特徴とする請求項１６に記載のバックライトモジュール。
【請求項１８】
前記第１押出枠ユニットが、少なくとも一つの第１接続部を有し、前記第２押出枠ユニットが、少なくとも一つの第２接続部を有することを特徴とする請求項１に記載のバックライトモジュール。
【請求項１９】
前記バックライトモジュールが、更に、遮蔽板を備え、前記遮蔽板が、前記基板ユニットまたは前記第１押出枠ユニットと前記第２押出枠ユニットに接合されることを特徴とする請求項１に記載のバックライトモジュール。
【請求項２０】
前記バックライトモジュールが、更に、少なくとも一つの光源を備え、前記光源が、冷陰極ランプまたは発光ダイオードであり、前記バック・シャーシに設けられることを特徴とする請求項１に記載のバックライトモジュール。
【発明の詳細な説明】
【技術分野】
【０００１】
本発明は、バックライトモジュール、特に、液晶表示装置のバックライトモジュールに関する。
【背景技術】
【０００２】
液晶表示装置は、電子製品の表示スクリーンとして広く適用されているが、更に、ビデオ技術と結合し、液晶テレビにおいて発展してきた。
【０００３】
表示スクリーンやテレビとして利用される液晶表示装置は、主に、液晶パネルとバックライトモジュールとから構成されている。近年、液晶表示装置の大型化に伴い、液晶パネルとバックライトモジュールの寸法も大きくなり、特に、液晶テレビとして利用される場合には、３２インチ以上の寸法が要求されている。
【発明の開示】
【発明が解決しようとする課題】
【０００４】
しかし、バックライトモジュールの寸法が大きくなると、部材が増えるために、コストが高くなる。更に、大型化とともに、部材を増やしたり、組立工数を増やしたりして、その構造強度を向上する必要があるために、コストは、更に高くなる。
【０００５】
図１に示すように、従来のバックライトモジュールは、底板１１と、複数の光源１２と、両側枠体１３、１４と、内枠体１５と、光学素子セット１６と、外枠体１７とを主な要素として構成されている。そのうち、底板１１は、薄い金属板からなり、強度が弱いため、内枠体１５と両側枠体１３、１４で矩形枠体を構成し、更に外枠体１７を加えることによって、構造強度の向上を図っている。また、内枠体１５と外枠体１７に良好な構造強度を有させるために、通常、１枚の金属板（例えば鉄板）全体を利用して、中間部分のみをプレスして、内枠体１５または外枠体１７を一体成形する。その際に、プレスされた中間部分１７１が一般に消耗材料となるために、材料の無駄となり、コストを低減することが困難である（図１参照）。
【０００６】
そこで、材料の無駄を避けるための枠体の組立方法も提案されているが、枠体から組み立てる構造強度が比較的に弱く、しかも追加の組立コストも発生する。
【０００７】
また、両側枠体１３、１４は、一般にプラスチック枠体から構成され、両側枠体１３、１４と、底板１１とによる電磁干渉（ＥＭＩ）シールド効果が良くないため、通常、別途に金属遮蔽部材を増やす必要がある。更に、底板１１は、薄い金属板からなるため、液晶表示装置に台座（図示せず）を実装する場合に、通常、比較的に厚い金属ハウジングを設ける必要があるため、コストが更に上昇する。
【０００８】
本発明は、上記問題を鑑みてなされたものであり、コストを低減し、構造強度を向上し、しかも電磁干渉シールド効果を有するバックライトモジュールを提供することを目的とする。
【課題を解決するための手段】
【０００９】
本発明に係るバックライトモジュールは、第１側辺、第２側辺、第３側辺、及び第４側辺を含む基板ユニットと、前記基板ユニットの前記第１側辺に設けられ第１保持部を含む第１押出枠ユニットと、前記基板ユニットの前記第２側辺に設けられ第２保持部を含む第２押出枠ユニットと、を有するバック・シャーシと、前記基板ユニットの前記第３側辺に設けられた第３押出枠ユニットと、前記基板ユニットの前記第４側辺に設けられた第４押出枠ユニットと、前記第１保持部と前記第２保持部に設けられた光学素子セットと、を備える。
【発明の効果】
【００１０】
本発明のバックライトモジュールによれば、アルミニウム又はアルミニウム合金からなる第１押出枠ユニットと第２押出枠ユニットと、基板ユニットとを主な要素として構成されるため、優れた構造強度を有する。このため、従来のバックライトモジュールの内枠体や外枠体を使用せず、複雑な組立工程も省略でき、コストを大幅に低減することができる。更に、本発明のバックライトモジュールの基板ユニットは、外部の台座に直接に接合することができるため、強化用のハウジングを別途に設ける必要がなく、コストを更に低減することができる。また、本発明のバックライトモジュール自身が完全な金属ハウジングになるため、良好な電磁干渉シールド効果を有する。
【発明を実施するための最良の形態】
【００１１】
以下、図面を参照しながら、本発明の好適な実施例におけるバックライトモジュールについて説明する。
【００１２】
（実施例１）
図２ａと図２ｂに示すように、本発明の実施例１におけるバックライトモジュールのバック・シャーシ２は、基板ユニット２１と、第１押出枠ユニット２２と、第２押出枠ユニット２３とを有する。基板ユニット２１は、第１側辺２１１と、第２側辺２１２とを少なくとも含む。本実施例において、第１側辺２１１と第２側辺２１２は、対向する両側辺である。第１押出枠ユニット２２は、基板ユニット２１の第１側辺２１１に設けられ、光学素子セット５（図１１ａ参照）を保持するための第１保持部２２１を有する。第２押出枠ユニット２３は、基板ユニット２１の第２側辺２１２に設けられ、光学素子セット５を保持するための第２保持部２３１を有する。
【００１３】
また、図２ａと図２ｂに示すように、基板ユニット２１、第１押出枠ユニット２２、第２押出枠ユニット２３は、例えば、アルミニウム押出成形またはアルミニウム合金押出成形によって一体成形される。もちろん、図３ａと図３ｂに示すように、バック・シャーシ２を、基板ユニット２１とする平板と、それぞれアルミニウム押出成形又はアルミニウム合金押出成形によって形成された第１押出枠ユニット２２と第２押出枠ユニット２３とから構成することもできる。図３ａと図３ｂに示すように、基板ユニット２１は、平板であり、その第１側辺２１１と第２側辺２１２が、第１押出枠ユニット２２と第２押出枠ユニット２３にそれぞれ接合される。なお、大寸法のバック・シャーシである場合に、基板ユニット２１は、更に、２枚以上の平板を有し、しかも第１押出枠ユニット２２と第２押出枠ユニット２３に並列に接合される（図４参照）。
【００１４】
また、図２ａと図２ｂに示すように、第１押出枠ユニット２２には、更に、押圧部材（ｌｏｃｋｉｎｇ  ｅｌｅｍｅｎｔ）６（図１１ａ参照）と結合する第１結合部（ｌｏｃｋｅｄ  ｅｌｅｍｅｎｔ）２２２と、光反射面とする第１斜板部２２３と、が設けられる。そして、第２押出枠ユニット２３には、更に、押圧部材６（図１１ａ参照）と結合する第２結合部２３２と、光反射面とする第２斜板部２３３とが設けられる。また、図５ａ、図５ｂ、図５ｃに示すように、第１押出枠ユニット２２と第２押出枠ユニット２３は、更に、外部部材と接続する第１接続部２２４と第２接続部２３４とがそれぞれ設けられる。図５ａに示す第１接続部２２４と第２接続部２３４は、外部へ突設されるが、図５ｂ、図５ｃに示す第１接続部２２４と第２接続部２３４は、内部へ凹設される。また、図５ｃに示すように、基板ユニット２１の表面上には、更に、複数の放熱シート２１３が形成される。
【００１５】
図６ａ、図６ｂ、図６ｃに示すように、基板ユニット２１は、平行に配置された第１平板２１４と、第２平板２１５とを更に有する。なお、第１平板２１４と第２平板２１５との間に複数の放熱シート２１３が設けられる。ここで、図６ａ、図６ｂ、図６ｃに示す基板ユニット２１は、多層構造であり、第１押出枠ユニット２２と第２押出枠ユニット２３と一体成形される。また、図７ａ、図７ｂに示すように、基板ユニット２１は、２層構造であってもよく、その両側辺が第１押出枠ユニット２２と第２押出枠ユニット２３にそれぞれ接合される。
【００１６】
更に、図８ａ、図８ｂに示すように、基板ユニット２１は、水平に並列配置された第１サブ基板ユニット２１’と第２サブ基板ユニット２１’’とを更に有する。図８ａ、図８ｂに示すように、第１サブ基板ユニット２１’は、第１押出枠ユニット２２と一体成形され、第２サブ基板ユニット２１’’は、第２押出枠ユニット２３と一体成形される。もちろん、第１サブ基板ユニット２１’と第２サブ基板ユニット２１’’は、それぞれ平板であり、第１押出枠ユニット２２と第２押出枠ユニット２３とそれぞれ結合することもできる。
【００１７】
また、図９に示すように、第１サブ基板ユニット２１’は、平行に配置された第３平板２１４’と第４平板２１５’とを更に具備し、第２サブ基板ユニット２１’’は、平行に配置された第５平板２１４’’と第６平板２１５’’とを更に具備する。放熱シート２１３は、第３平板２１４’と第４平板２１５’との間、及び第５平板２１４’’と第６平板２１５’’との間にそれぞれ設けられる。
【００１８】
（実施例２）
本実施例において、実施例１と共通する構成要素については、同一の符号を付すことによりその説明を省略する。また、バック・シャーシ２についても、上述したように、さまざまな変化例があるため、その説明も省略する。
【００１９】
図１０と図１１ａ、図１１ｂに示すように、本発明のバックライトモジュールは、バック・シャーシ２と、第３押出枠ユニット３と、第４押出枠ユニット４と、光学素子セット５とを備える。
【００２０】
バック・シャーシ２は、第１側辺２１１、第２側辺２１２、第３側辺２１６、第４側辺２１７を含む基板ユニット２１と、基板ユニット２１の第１側辺２１１に設けられ第１保持部２２１を含む第１押出枠ユニット２２と、基板ユニット２１の第２側辺２１２に設けられ第２保持部２３１を含む第２押出枠ユニット２３とを有する。また、第３押出枠ユニット３は、基板ユニット２１の第３側辺２１６に設けられる。第４押出枠ユニット４は、基板ユニット２１の第４側辺２１７に設けられる。光学素子セット５は、第１保持部２２１と第２保持部２３１の上に設けられる。
【００２１】
また、図１０に示すように、第３押出枠ユニット３は、第３保持部３１０を有し、第４押出枠ユニット４は、第４保持部４１０を有する。光学素子セット５は、第３保持部３１０と第４保持部４１０の上に設けることもできる。なお、図１１ａ、図１１ｂに示すように、光学素子セット５は、拡散板５１と、集光シート５２と、拡散シート５３とを少なくとも有する。また、図１１ａ、図１１ｂに示すように、バックライトモジュールは、更に、複数の押圧部材６を備える。押圧部材６は、第１押出枠ユニット２２の第１結合部２２２と第２押出枠ユニット２３の第２結合部２３２にそれぞれ結合される。このようにして、光学素子セット５は、第１押出枠ユニット２２と第２押出枠ユニット２３の上に押圧される。
【００２２】
また、図１２、図１３、図１４に示すように、バックライトモジュールは、更に、複数の光源７を備える。ここで、光源は、例えば、冷陰極ランプ（ＣＣＦＬ、図１２と図１３参照）、または発光ダイオード（ＬＥＤ、図１４参照）である。この場合に、基板ユニット２１の表面と、第１斜板部２２３と第２斜板部２３３の表面に反射層８が設けられる。なお、基板ユニット２１が単一の平板から構成される場合に、反射層８が、光源７に隣接する基板ユニット２１の表面に設けられる。そして、基板ユニット２１が第１平板２１４と第２平板２１５とを含む場合には、反射層８が第１平板２１４の表面に設けられる（図１４参照）。もちろん、基板ユニット２１が第１サブ基板ユニットと第２サブ基板ユニットから構成される場合に、反射層８が第１サブ基板ユニットと第２サブ基板ユニットの他の表面（図示せず）に形成される。
【００２３】
また、図１２、図１３、図１４に示すように、バックライトモジュールは、更に、遮蔽板９を備える。なお、遮蔽板９は、基板ユニット２１の両接続部２１８、２１９に接合される。もちろん、遮蔽板９は、第１押出枠ユニット２２の第１接続部２２４と第２押出枠ユニット２３の第２接続部２３４（図示せず）に接続されてもよい。この場合に、遮蔽板９と接続部２１８、２１９（又は第１接続部２２４と第２接続部２３４）によって形成された空間に、回路基板ＰＣＢ、例えば光源駆動用の回路基板や他のシステムの回路基板を載置することができる。また、アルミニウム押出成形法を利用する場合に、遮蔽板９を、基板ユニット２１の両接続部２１８、２１９と一体成形することもできる。
【００２４】
以上、本発明の実施の形態を図面を参照して詳述してきたが、具体的な構成は、これらの実施の形態に限られるものではなく、本発明の要旨を逸脱しない範囲の設計変更等があっても、本発明に含まれる。
【図面の簡単な説明】
【００２５】
【図１】従来のバックライトモジュールの要部を示す分解斜視図である。
【図２ａ】本発明の実施例１におけるバックライトモジュールのバック・シャーシの一部を示す斜視図である。
【図２ｂ】図２ａのバック・シャーシのＡ−Ａ線における断面図である。
【図３ａ】本発明の実施例１におけるバックライトモジュールにおいて、バック・シャーシの基板ユニットが１枚の平板である態様を示す斜視図である。
【図３ｂ】図３ａのバック・シャーシのＢ−Ｂ線における断面図である。
【図４】本発明の実施例１におけるバックライトモジュールにおいて、バック・シャーシの基板ユニットが２枚の平板である態様を示す斜視図である。
【図５ａ】本発明の実施例１におけるバックライトモジュールにおいて、バック・シャーシが、外部へ突設される第１接続部と第２接続部を有する態様を示す断面図である。
【図５ｂ】本発明の実施例１におけるバックライトモジュールにおいて、バック・シャーシが、内部へ凹設される第１接続部と第２接続部を有する態様を示す断面図である。
【図５ｃ】本発明の実施例１におけるバックライトモジュールにおいて、基板ユニットの表面上に、更に、複数の放熱シートが形成される態様を示す断面図である。
【図６ａ】図５ａのバック・シャーシにおいて、基板ユニットが、第１平板と第２平板と複数の放熱シートとを有する態様を示す断面図である。
【図６ｂ】図５ｂのバック・シャーシにおいて、基板ユニットが、第１平板と第２平板と複数の放熱シートとを有する態様を示す断面図である。
【図６ｃ】図５ｃのバック・シャーシにおいて、基板ユニットが、第１平板と第２平板と複数の放熱シートとを有する態様を示す断面図である。
【図７ａ】本発明の実施例１におけるバックライトモジュールにおいて、基板ユニットが、２層構造である態様を示す斜視図である。
【図７ｂ】図７ａのバック・シャーシのＣ−Ｃ線における断面図である。
【図８ａ】本発明の実施例１におけるバックライトモジュールにおいて、基板ユニットが、水平に並列配置された第１サブ基板ユニットと第２サブ基板ユニットとを有する態様を示す斜視図である。
【図８ｂ】図８ａのバック・シャーシのＤ−Ｄ線における断面図である。
【図９】図８ａのバック・シャーシにおいて、基板ユニットが、２層構造である態様を示す斜視図である。
【図１０】本発明の実施例２におけるバックライトモジュールを示す斜視図である。
【図１１ａ】本発明の実施例２におけるバックライトモジュールの一部を示す分解断面図である。
【図１１ｂ】本発明の実施例２におけるバックライトモジュールの一部を示す断面図である。
【図１２】本発明の実施例２におけるバックライトモジュールは、更に、遮蔽板を備える態様を示す断面図である。
【図１３】本発明の実施例２におけるバックライトモジュールにおいて、光源が冷陰極ランプである態様を示す断面図である。
【図１４】本発明の実施例２におけるバックライトモジュールにおいて、反射層が第１平板の表面に設けられる態様を示す断面図である。
【符号の説明】
【００２６】
２  バック・シャーシ
２１  基板ユニット
２１１  第１側辺
２１２  第２側辺
２１３  放熱シート
２１４  第１平板
２１５  第２平板
２１６  第３側辺
２１７  第４側辺
２１８  接続部
２１９  接続部
２１’  第１サブ基板ユニット
２１４’  第３平板
２１５’  第４平板
２１’’  第２サブ基板ユニット
２１４’’  第５平板
２１５’’  第６平板
２２  第１押出枠ユニット
２２１  第１保持部
２２２  第１結合部
２２３  第１斜板部
２２４  第１接続部
２３  第２押出枠ユニット
２３１  第２保持部
２３２  第２結合部
２３３  第２斜板部
２３４  第２接続部
３  第３押出枠ユニット
３１０  第３保持部
４  第４押出枠ユニット
４１０  第４保持部
５  光学素子セット
５１  拡散板
５２  集光シート
５３  拡散シート
６  押圧部材
７  光源
８  反射層
９  遮蔽板
ＰＣＢ  回路基板
【図１】
2007059405.tif 000003
【図２ａ】
2007059405.tif 000004
【図２ｂ】
2007059405.tif 000005
【図３ａ】
2007059405.tif 000006
【図３ｂ】
2007059405.tif 000007
【図４】
2007059405.tif 000008
【図５ａ】
2007059405.tif 000009
【図５ｂ】
2007059405.tif 000010
【図５ｃ】
2007059405.tif 000011
【図６ａ】
2007059405.tif 000012
【図６ｂ】
2007059405.tif 000013
【図６ｃ】
2007059405.tif 000014
【図７ａ】
2007059405.tif 000015
【図７ｂ】
2007059405.tif 000016
【図８ａ】
2007059405.tif 000017
【図８ｂ】
2007059405.tif 000018
【図９】
2007059405.tif 000019
【図１０】
2007059405.tif 000020
【図１１ａ】
2007059405.tif 000021
【図１１ｂ】
2007059405.tif 000022
【図１２】
2007059405.tif 000023
【図１３】
2007059405.tif 000024
【図１４】
2007059405.tif 000025